(57)【要約】【課題】ベルトユニットのメンテナンス作業を簡単にすることができる画像形成装置を提供することを目的とする。【解決手段】画像形成装置（カラープリンタ１）は、静電潜像が形成される複数の感光ドラム５１と、記録シートを収容し、装置本体１０に対して着脱可能なシート収容部と、各感光ドラム５１に対向するベルト（搬送ベルト６１）を有し、各感光ドラム５１とシート収容部との間に配置されるベルトユニット６とを備える。そして、ベルトユニット６は、支持部材９を後方へ引くことにより、感光ドラム５１から離間され、シート収容部を取り外すことにより形成される装置本体１０内の空間Ａを通して、開口部１４Ａから装置本体１０外に引き出し可能となっている。【選択図】図３
2010152243.tif 000002
【特許請求の範囲】
【請求項１】
静電潜像が形成される複数の感光ドラムと、
記録シートを収容し、装置本体に対して着脱可能なシート収容部と、
各感光ドラムに対向するベルトを有し、前記各感光ドラムと前記シート収容部との間に配置されるベルトユニットとを備える画像形成装置であって、
前記シート収容部を取り外すことにより形成される装置本体内の空間を通して、前記ベルトユニットが装置本体に対して着脱可能となっていることを特徴とする画像形成装置。
【請求項２】
前記ベルトユニットを前記感光ドラムに接触した位置と、前記感光ドラムから離間して前記空間に進入した位置とに移動可能に案内する案内部材を備えることを特徴とする請求項１に記載の画像形成装置。
【請求項３】
前記ベルトユニットを前記感光ドラムから離間させた状態で外部まで誘導するための案内レールをさらに備えたことを特徴とする請求項２に記載の画像形成装置。
【請求項４】
上から下へ、前記感光ドラム、ベルトユニット及びシート収容部の順に配置されており、
前記ベルトユニットを下から支持して、前記ベルトユニットの上下方向の位置決めを行う支持部材をさらに備え、
前記支持部材を移動させて前記ベルトユニットの支持を解除することで、前記ベルトユニットが各感光ドラムから離間するように構成されていることを特徴とする請求項２または請求項３に記載の画像形成装置。
【請求項５】
前記支持部材は、
水平方向における第１の位置と第２の位置とを含む複数の位置に移動可能であり、
前記支持部材が前記第１の位置に位置するときに前記ベルトユニットの一部を支持する支持面と、
前記支持面の一端に形成され、前記ベルトユニットから離れるように凹む逃げ溝とを備え、
前記支持部材が前記第２の位置に位置するときに、前記ベルトユニットの一部が前記逃げ溝内に入ることで前記ベルトユニットが前記各感光ドラムから離れ、その状態で前記支持部材と一体に前記ベルトユニットを引き出すことが可能となっていることを特徴とする請求項４に記載の画像形成装置。
【請求項６】
前記逃げ溝の前記一端側の側面が、前記支持面から離れるにつれて底面に近付くように傾斜していることを特徴とする請求項５に記載の画像形成装置。
【請求項７】
前記シート収容部内の記録シートを前記ベルトユニットに供給する供給ユニットが、前記ベルトにより記録シートを搬送する方向から見て前記ベルトユニットと重なっていることを特徴とする請求項１〜請求項６のいずれか１項に記載の画像形成装置。
【請求項８】
記録シートに転写されたトナー像を熱定着させる定着装置が、前記ベルトにより記録シートを搬送する方向から見て前記ベルトユニットと重なっていることを特徴とする請求項１〜請求項７のいずれか１項に記載の画像形成装置。
【請求項９】
前記複数の感光ドラムを保持し、前記装置本体から外部に引き出し可能な感光ドラム保持部材をさらに備えたことを特徴とする請求項１〜請求項８のいずれか１項に記載の画像形成装置。
【請求項１０】
前記感光ドラム保持部材は、前記装置本体から引き出した状態で分離不能に構成されていることを特徴とする請求項９に記載の画像形成装置。
【発明の詳細な説明】
【技術分野】
【０００１】
本発明は、複数の感光ドラムに対向するベルトユニットを備える画像形成装置に関する。
【背景技術】
【０００２】
従来、複数の感光ドラムと、各感光ドラムとの間で用紙を搬送するベルトを有するベルトユニットと、各感光ドラムをそれぞれ回転可能に支持する複数のプロセスカートリッジと、各プロセスカートリッジを一体に支持するドロワとを備える画像形成装置が知られている（特許文献１参照）。この技術では、ベルトユニットをメンテナンス（交換や清掃等）する場合には、ドロワを装置本体から取り外した後、ドロワを取り外すことにより形成される空間を通してベルトユニットを装置本体から取り外している。
【０００３】
【特許文献１】特開２００７−５７９５３号公報
【発明の開示】
【発明が解決しようとする課題】
【０００４】
しかしながら、従来技術では、ベルトユニットをメンテナンスする際には、複数のプロセスカートリッジを支持する重いドロワを取り外さなければならないので、ベルトユニットのメンテナンス作業が煩雑になるといった問題があった。
【０００５】
そこで、本発明は、ベルトユニットのメンテナンス作業を簡単にすることができる画像形成装置を提供することを目的とする。
【課題を解決するための手段】
【０００６】
前記課題を解決する本発明は、静電潜像が形成される複数の感光ドラムと、記録シートを収容し、装置本体に対して着脱可能なシート収容部と、各感光ドラムに対向するベルトを有し、前記各感光ドラムと前記シート収容部との間に配置されるベルトユニットとを備える画像形成装置であって、前記シート収容部を取り外すことにより形成される装置本体内の空間を通して、前記ベルトユニットが装置本体に対して着脱可能となっていることを特徴とする。
【０００７】
ここで、「シート収容部を取り外す」とは、シート収容部を装置本体から完全に分離させることを含む他、装置本体に一部が係合した状態でシート収容部の略全体が装置本体外に露出していることも含む。
【０００８】
本発明によれば、ベルトユニットをメンテナンスする際には、まず、ユーザは、シート収容部を装置本体から取り外す。その後、ユーザは、その取り外した後の空間を通してベルトユニットを装置本体から取り外す。なお、記録シートを収容するシート収容部は、構造上ドロワよりも軽くなるため、ユーザは、ドロワよりも軽いシート収容部を簡単に取り外して、ベルトユニットのメンテナンスを行うことができる。
【発明の効果】
【０００９】
本発明によれば、ベルトユニットのメンテナンスの際には構造上ドロワよりも軽くなるシート収容部を取り外せばよいので、ベルトユニットのメンテナンス作業を簡単にすることができる。
【発明を実施するための最良の形態】
【００１０】
次に、本発明の実施形態について、適宜図面を参照しながら詳細に説明する。参照する図面において、図１は画像形成装置の一例としてのカラープリンタの全体構成を示す説明図である。
【００１１】
以下の説明において、方向は、カラープリンタ使用時のユーザを基準にした方向で説明する。すなわち、図１において、紙面に向かって右側を「前側（手前側）」、紙面に向かって左側を「後側（奥側）」とし、紙面と直交する方向の奥側を「右側」、紙面と直交する方向の手前側を「左側」とする。また、紙面に向かって上下方向を「上下方向」とする。
【００１２】
図１に示すように、カラープリンタ１は、シート収容部の一例としての給紙トレイ２と、供給ユニットの一例としての給紙ユニット３と、スキャナユニット４と、複数のプロセスカートリッジ５と、ベルトユニット６と、定着装置７とを主に備えて構成されている。
【００１３】
上から下へスキャナユニット４、複数のプロセスカートリッジ５、ベルトユニット６及び給紙トレイ２を順に配置し、ベルトユニット６の前方で、かつ給紙トレイ２の前端部上方に給紙ユニット３を、ベルトユニット６の後方に定着装置７をそれぞれ配置している。それらを収容する箱状の装置本体１０の前面には、プロセスカートリッジ５の前方に対応して、プロセスカートリッジ５を着脱するための開口部１２Ｃと、給紙トレイ２の前方に対応して給紙トレイ２を着脱するための引出口１２Ｂとが形成され、開口部１２Ｃにはフロントカバー１２が開閉可能に設けられている。
【００１４】
給紙トレイ２は、記録シートの一例としての用紙Ｐを収容するトレイであり、装置本体１０の前側から装置本体１０に対して前後方向に着脱可能となっている。
【００１５】
給紙ユニット３は、給紙トレイ２内の用紙Ｐをベルトユニット６に供給する装置であり、給紙トレイ２内の用紙Ｐと接する公知の給紙ローラ３１と、ベルトユニット６の後述するベルト６の上面とほぼ同一平面上に位置する搬送ローラ３２と、給紙ローラ３１から搬送ローラ３２へ用紙を案内するガイド通路３Ａなどを備えている。そして、この給紙ユニット３は、前後方向（ベルトにより記録シートを搬送する方向）から見てベルトユニット６と重なる位置、具体的にはベルトユニット６よりも手前の位置で、装置本体１０の左右の壁を構成する一対のサイドフレーム１１に公知の締結手段により固定されている。そのため、給紙ユニット３によって、一対のサイドフレーム１１が補強されている。なお、搬送ローラ３２は、好ましくは用紙Ｐの先端の位置を揃えるための先端揃え部材の一例としてのレジストローラの機能を有している。
【００１６】
スキャナユニット４は、主に、図示しないレーザ発光部、ポリゴンミラー、レンズおよび反射鏡などを備えた公知の構造となっている。そして、スキャナユニット４では、レーザビームを、後述する各プロセスカートリッジ５の感光ドラム５１の表面上に高速走査にて照射する。
【００１７】
各プロセスカートリッジ５は、静電潜像が形成される感光ドラム５１を備える他、図示しない公知の帯電器、トナー収容室、供給ローラ、現像ローラ等を備えている。各プロセスカートリッジ５は、前後に並べられた状態で感光ドラム保持部材の一例としてのドロワ８に一体に支持されている。このドロワ８は、一対のサイドフレーム１１に図示しない公知のガイドレールにより前後移動可能に支持され、装置本体１０の手前側に回動可能に設けられるフロントカバー１２を開けることで形成される開口部１２Ｃから外部に引き出し可能となっている。また、このドロワ８は、引き出された状態で一部が装置本体１０に係合したままに保持されることで、装置本体１０から完全には取り外せない構造、すなわち分離不能に構成されている。なお、ドロワ８及び後述するベルトユニット６は、略前後方向に移動可能であるが、装置本体１０内の画像形成動作位置では、静止状態に保持されている。
【００１８】
そして、このプロセスカートリッジ５では、まず、帯電器で帯電された感光ドラム５１がスキャナユニット４から出射されるレーザ光で露光されることで、感光ドラム５１の表面に静電潜像が形成される。その後、トナー収容室内のトナー（現像剤）が供給ローラ等を介して感光ドラム５１上の静電潜像に供給されて、感光ドラム５１上にトナー像（現像剤像）が担持される。
【００１９】
ベルトユニット６は、各感光ドラム５１に対向する無端状の搬送ベルト６１と、搬送ベルト６１を張設しながら回転させるための駆動ローラ６２および従動ローラ６３と、これらのローラ６２，６３を回転可能に支持する図示せぬフレームとを備えている。ベルトユニット６は、各感光ドラム５１と給紙トレイ２との間に配置、詳しくは、給紙トレイ２の上方に隣接して配置されている。
【００２０】
そして、ベルトユニット６は、給紙トレイ２を取り外すことにより形成される装置本体１０内の空間Ａ（図２参照）を通して、装置本体１０の後面に設けた後側の開口部１４Ａから装置本体１０に着脱可能となっている。なお、ベルトユニット６を着脱させる構造については、後で詳述することとする。
【００２１】
そして、このベルトユニット６では、搬送ベルト６１と各感光ドラム５１との間で用紙Ｐを搬送可能となっている。なお、この搬送の際に、搬送ベルト６１の内側に配置された図示せぬ複数の転写ローラによって各感光ドラム５１上のトナー像が用紙Ｐに転写されるようになっている。
【００２２】
定着装置７は、用紙Ｐに転写されたトナー像を熱定着させる装置であり、公知の加熱ローラ７１や加圧ローラ７２等を備えて構成されている。定着装置７は、前後方向から見てベルトユニット６と重なる位置、具体的にはベルトユニット６よりも奥の位置に配置されている。そして、定着装置７で熱定着された用紙Ｐは、図示せぬ搬送ローラによって装置本体１０の外部に排出される。
【００２３】
＜ベルトユニットを着脱させる構造＞
次に、ベルトユニット６を着脱させる構造の詳細について説明する。参照する図面において、図２はベルトユニットを着脱させる構造を示す説明図である。
【００２４】
図２に示すように、ベルトユニット６の図示せぬフレームには、前後に離間して配置される前突起６４および後突起６５が形成されている。前突起６４および後突起６５は、ともにベルトユニット６の左右両側面から左右方向外側に突出するように形成されている。前突起６４は、好ましくは前側の従動ローラ６３（図１参照）の回転中心と同位置又はそれよりも前側に位置している。
【００２５】
装置本体１０の左右のサイドフレーム１１には、ベルトユニット６の前突起６４を支持して、ベルトユニット６を各感光ドラム５１から離間させた状態で外部まで誘導するための溝状の案内レール１３が形成されている。具体的に、案内レール１３は、ベルトユニット６が画像形成動作のための取付位置（図２の位置）に位置しているときに前突起６４を支持する第１溝１３Ａと、第１溝１３Ａよりも後斜め下方の一段下がった位置に形成される第２溝１３Ｂと、第２溝１３Ｂよりも後斜め下方の一段下がった位置に形成される第３溝１３Ｃとを一体に連続して有し、後側の開口部１４Ａに達している。
【００２６】
第１溝１３Ａ、第２溝１３Ｂおよび第３溝１３Ｃは、それぞれ前後方向に沿って互いに平行に延びており、斜めに延びる連結溝（符号略）を介してそれぞれ連続して形成されている。また、第３溝１３Ｃは、第１溝１３Ａおよび第２溝１３Ｂよりも幅広に形成されており、これにより、ベルトユニット６の装着時において、前突起６４が第３溝１３Ｃに入り易くなっている。
【００２７】
また、ベルトユニット６の後突起６５は、案内レール１３内に入らないように案内レール１３の左右方向内側にずれて配置されており、ベルトユニット６が取付位置に位置しているときに案内レール１３には支持されずに支持部材９によって下から支持されている。すなわち、支持部材９と第１溝１３Ａによって、ベルトユニット６の後突起６５と前突起６４がそれぞれ支持されることで、ベルトユニット６の上下方向の位置決めが行われている。なお、本実施形態では、前後方向の位置決めは、前突起６４が装置本体１０の一部に後方から当接することでなされるようになっている。
【００２８】
支持部材９は、サイドフレーム１１の左右方向内側に隣接して配置されており、前後方向（水平方向）における第１の位置（図２の位置）と第２の位置（図３の位置）とを含む複数の位置に移動可能にサイドフレーム１１に支持されている。支持部材９は、第１の位置に位置するときにベルトユニット６の後突起６５（一部）を支持する支持面９１と、支持面９１の前端（一端）に形成される逃げ溝９２とを有している。逃げ溝９２は、下方（ベルトユニット６から離れる方向）に凹むように形成されており、前側面９２Ａと、後側面９２Ｂと、底面９２Ｃとを有している。
【００２９】
前側面９２Ａは、上下方向に沿って形成されており、その上部には、後方に向かって延出する抜け止め部９３が形成されている。後側面９２Ｂは、前方に向かうにつれて下方に傾斜するように（支持面９１から離れるにつれて底面９２Ｃに近付くように）形成されている。底面９２Ｃは、水平方向に沿って形成されている。そして、この底面９２Ｃは、好ましくは支持面９１との高さの差が、第１溝１３Ａと第３溝１３Ｃとの高さの差と同程度に形成され、ベルトユニット６の後突起６５を支持したときにベルトユニット６が各感光ドラム５１から離間するような位置に形成されている（図３参照）。
【００３０】
以上のように構成される案内レール１３と支持部材９は、案内部材の一例であり、ベルトユニット６を各感光ドラム５１に接触した位置と、各感光ドラム５１から離間して前記空間Ａに進入した位置とに移動可能に案内している。
【００３１】
また、装置本体１０のリアフレーム１４の下部には、ベルトユニット６を装置本体１０に着脱するための後側の開口部１４Ａが形成されている。
【００３２】
＜ベルトユニットの着脱方法＞
次に、ベルトユニット６の着脱方法について説明する。参照する図面において、図３はベルトユニットを各感光ドラムから退避させた状態を示す説明図であり、図４はベルトユニットの後突起に支持部材が引っ掛かった状態を示す説明図である。また、図５はベルトユニットを装置本体外に引き出した状態を示す説明図である。
【００３３】
図２に示すように、ベルトユニット６を装置本体１０から取り外す場合には、作業者（ユーザや修理業者等）は、まず、給紙トレイ２を装置本体１０から取り外す。その後、図３に示すように、作業者が支持部材９を前述した第１の位置から後方の第２の位置に引っ張ると、支持部材９の逃げ溝９２内にベルトユニット６の後突起６５がベルトユニット６の自重により入り込んで、ベルトユニット６が傾いて空間Ａ内に入り込み、各感光ドラム５１から引き離される。
【００３４】
続いて、作業者がさらに支持部材９を後に引っ張ると、図４に示すように、支持部材９の逃げ溝９２の前側面９２Ａがベルトユニット６の後突起６５に引っ掛かる。この状態でさらに支持部材９を引っ張ると、ベルトユニット６の前突起６４が第１溝１３Ａから第２溝１３Ｂ，第３溝１３Ｃへと移動する。つまり、ベルトユニット６が、空間Ａを経て、図５に示すように、支持部材９とともに一体に開口部１４Ａから外部に引き出されることとなる。そして、引き出されたベルトユニット６を清掃、あるいは支持部材９及び第３溝１３Ｃから外して交換することができる。
【００３５】
また、ベルトユニット６を装置本体１０に装着する場合には、作業者は、図５に示すように、新たなベルトユニット６の前突起６４を案内レール１３内に入れるとともに、後突起６５を支持部材９の逃げ溝９２内に入れる。その後、作業者は、支持部材９を介してベルトユニット６を装置本体１０内に押し込む。この際、ベルトユニット６は、支持部材９の逃げ溝９２の傾斜した後側面９２Ｂで押される。
【００３６】
そして、図３に示すように、ベルトユニット６の前突起６４が、案内レール１３の第１溝１３Ａに到達するとともに、装置本体１０の一部に止められて前後方向の位置決めがされると、傾斜した後側面９２Ｂによって後突起６５が上方に押されることで、ベルトユニット６が前突起６４を中心にして上方に揺動する。その後は、図２に示すように、後突起６５が支持部材９の支持面９１で支持されて、ベルトユニット６が取付位置に取り付けられる。
【００３７】
以上によれば、本実施形態において以下のような効果を得ることができる。
ベルトユニット６のメンテナンスの際には構造上ドロワ８よりも軽くなる給紙トレイ２を取り外せばよいので、ベルトユニット６のメンテナンス作業を簡単にすることができる。なお、ドロワを設けない構造においても、複数の感光ドラム（プロセスカートリッジ）を外すことなく、給紙トレイのみを引き出して容易にベルトユニットを取り外すことができる。
【００３８】
案内レール１３と支持部材９によって、ベルトユニット６が各感光ドラム５１に接触した位置と、各感光ドラム５１から離間して空間Ａに進入した位置とに移動可能に案内されるので、ベルトユニット６を引き出す際にベルトユニット６と各感光ドラム５１が接触することなく、ベルトユニット６や各感光ドラム５１の損傷を抑えることができる。
【００３９】
ベルトユニット６を各感光ドラム５１から離間させた状態で外部まで誘導するための案内レール１３を設けたので、ベルトユニット６を安定した姿勢で着脱することができる。
【００４０】
支持部材９を移動させてベルトユニット６の水平位置での支持を解除することで、ベルトユニット６が各感光ドラム５１から離間するので、ベルトユニット６を取り外す際に搬送ベルト６１が感光ドラム５１に擦れて感光ドラム５１が損傷するのを防止することができる。また、ベルトユニット６の上下の位置決めを行う部材と、ベルトユニットを感光ドラムから離間させる部材を、一つの支持部材９で共有化できるので、部品点数を削減することができる。
【００４１】
後突起６５が逃げ溝９２内に入ることでベルトユニット６が各感光ドラム５１から離れ、その状態で支持部材９と一体にベルトユニット６を引き出すことが可能なので、支持部材９を引き出すだけで、簡単にベルトユニット６を各感光ドラム５１から離した後外部に引き出すことができる。
【００４２】
逃げ溝９２の後側面９２Ｂが、支持面９１から離れるにつれて底面９２Ｃに近付くように傾斜しているので、逃げ溝９２内にベルトユニット６の後突起６５をセットした状態で、支持部材９を装置本体１０内に押し込むだけで、傾斜した後側面９２Ｂでベルトユニット６の後突起６５を取付位置まで簡単に押し上げることができる。また、支持部材９を引き出すときも、ベルトユニット６の後突起６５を傾斜した後側面９２Ｂで支えながらゆっくりスムーズに降ろしていくことができるので、ベルトユニット６の破損を抑えることができる。
【００４３】
前記実施形態のように、給紙ユニット３が前後方向から見てベルトユニット６と重なることで、ベルトユニット６をそのまま前方に引き出せないような構造であっても、給紙ユニット３を避けるようにベルトユニット６を下側の空間Ａから良好に取り外すことができる。
【００４４】
前記実施形態のように、定着装置７が前後方向から見てベルトユニット６と重なることで、ベルトユニット６をそのまま後方に引き出せないような構造であっても、定着装置７を避けるようにベルトユニット６を下側の空間Ａから良好に取り外すことができる。
【００４５】
前記実施形態のように、ドロワ８が装置本体１０から引き出した状態で分離不能に構成されていて、ベルトユニット６をドロワ８を取り外した後の空間から取り出せない構造においても、ベルトユニット６を下側の空間Ａから良好に取り外すことができる。
【００４６】
逃げ溝９２の前側面９２Ａの上部に抜け止め部９３が形成されているので、逃げ溝９２内からベルトユニット６の後突起６５が上方に抜けるのを抜け止め部９３によって抑えることができる。
【００４７】
なお、本発明は前記実施形態に限定されることなく、以下に例示するように様々な形態で利用できる。
前記実施形態では、ベルトユニット６を装置本体１０の後側の開口部１４Ａから引き出したが、本発明はこれに限定されず、ベルトユニット６を装置本体１０の前側の開口部１２Ｂ（給紙トレイ２の引き出し口）から引き出すように構成してもよい。
【００４８】
前記実施形態では、案内レール１３を溝状に形成したが、本発明はこれに限定されず、凸状に形成してもよい。なお、この場合、凸状の案内レールを、ベルトユニットの側面に形成する溝に係合させてもよい。
【００４９】
前記実施形態では、支持部材９に逃げ溝９２を形成したが、本発明はこれに限定されず、支持部材を移動させてベルトユニットの支持を解除することで、ベルトユニットが各感光ドラムから離間するように構成されていればよい。例えば、前記実施形態において支持部材を単なる矩形の板とし、支持部材をベルトユニット６の後突起６５から外すと、ベルトユニット６が各感光ドラム５１から離れるようになっていてもよい。なお、この場合であっても、各感光ドラム５１から離れたベルトユニット６は、給紙トレイ２を引き出してできる空間Ａまで移動するので、作業者はベルトユニット６を直接掴んで引き出すことができる。
【００５０】
前記実施形態では、案内部材の一例として支持部材９および案内レール１３を採用したが、本発明はこれに限定されるものではない。例えば、ベルトユニットを支持するレール状の部材を上下に傾動可能とし、レール状の部材でベルトユニットを支持したままベルトユニットを感光ドラムに対して近接・離間させてもよい。
また、前記実施形態では、複数のプロセスユニット５及びベルトユニット６をそれぞれ水平に配置したが、これに限定されず、それらを縦方向に配置し、ベルトユニット６の上端又は下端に給紙ユニット３を配置してもよい
【００５１】
前記実施形態では、カラープリンタ１に本発明を適用したが、本発明はこれに限定されず、その他の画像形成装置、例えば複写機や複合機などに本発明を適用してもよい。
前記実施形態では、記録シートの一例として、厚紙、はがき、薄紙などの用紙Ｐを採用したが、本発明はこれに限定されず、例えばＯＨＰシートであってもよい。
【００５２】
前記実施形態では、ベルトの一例として搬送ベルト６１を採用したが、本発明はこれに限定されず、各感光ドラムで担持された現像剤像が転写される中間転写ベルトを採用してもよい。すなわち、前記実施形態では、搬送ベルト６１上に用紙Ｐを載せて感光ドラム５から用紙Ｐ上に直接画像を転写したが、これに限定されず、感光ドラム５から搬送ベルト６１に画像を直接転写し、その搬送ベルト６１から用紙Ｐに画像を転写するようにしてもよい。
【図面の簡単な説明】
【００５３】
【図１】画像形成装置の一例としてのカラープリンタの全体構成を示す説明図である。
【図２】ベルトユニットを着脱させる構造を示す説明図である。
【図３】ベルトユニットを各感光ドラムから退避させた状態を示す説明図である。
【図４】ベルトユニットの後突起に支持部材が引っ掛かった状態を示す説明図である。
【図５】ベルトユニットを装置本体外に引き出した状態を示す説明図である。
【符号の説明】
【００５４】
１      カラープリンタ
２      給紙トレイ
３      給紙ユニット
６      ベルトユニット
７      定着装置
８      ドロワ
９      支持部材
１０    装置本体
１１    サイドフレーム
１３    案内レール
１４    リアフレーム
１４Ａ  開口部
５１    感光ドラム
６１    搬送ベルト
６４    前突起
６５    後突起
９１    支持面
９２    逃げ溝
９２Ａ  前側面
９２Ｂ  後側面
９２Ｃ  底面
Ａ      空間
Ｐ      用紙
【図１】
2010152243.tif 000003
【図２】
2010152243.tif 000004
【図３】
2010152243.tif 000005
【図４】
2010152243.tif 000006
【図５】
2010152243.tif 000007